(57)【要約】  高騒音下での通話用、音声認識入力用のマイクロホンとして、外部騒音や振動を感知しにくい、小型で高感度の振動ピックアップマイクロホンを提供することを課題とするものであって、マイクロホンユニット１を収納する上面を開口したケース２と、前記ケース２の上端面を含む外表面全体を被覆する弾性材製カバー３と、前記ケース２内に設置されて前記マイクロホンユニット１を浮上状態に保持する弾性材製マイクホルダー４と、前記マイクホルダー４によって保持される前記マイクロホンユニット１と、前記マイクホルダー４を覆うように前記ケース２内に装填されるサブ振動板５とから成り、前記サブ振動板５と前記マイクロホンユニット１との間に気室１４が形成され、また、前記サブ振動板５の上面は、前記ケース２の上端面と同じとされるかそこから少しはみ出るようにされることを特徴とする。
2008029514.tif 000002
【特許請求の範囲】
【請求項１】
マイクロホンユニットを収納する上面を開口したケースと、前記ケースの上端面を含む外表面全体を被覆する弾性材製カバーと、前記ケース内に設置されて前記マイクロホンユニットを浮上状態に保持する弾性材製マイクホルダーと、前記マイクホルダーによって保持される前記マイクロホンユニットと、前記マイクホルダーを覆うように前記ケース内に装填されるサブ振動板とから成り、前記サブ振動板と前記マイクロホンユニットとの間に気室が形成され、また、前記サブ振動板の上面は、前記ケースの上端面と同じとされるかそこから少しはみ出るようにされることを特徴とする振動ピックアップマイクロホン。
【請求項２】
前記ケースは、外側ケースと、弾性材製スペーサを介して前記外側ケース内に収装される内側ケースとの二重構造である請求項１に記載の振動ピックアップマイクロホン。
【請求項３】
前記マイクホルダーは、上面に前記サブ振動板内に嵌入して前記サブ振動板を支持する支持枠を備える請求項１又は２に記載の振動ピックアップマイクロホン。
【請求項４】
前記サブ振動板は、下端に、前記ケース内側面に当接するフランジを備える請求項１又は２に記載の振動ピックアップマイクロホン。
【請求項５】
前記サブ振動板は、その上面が球面状である請求項１又は２に記載の振動ピックアップマイクロホン。
【発明の詳細な説明】
【技術分野】
【０００１】
本発明は振動ピックアップマイクロホン、より詳細には、骨振動や声帯振動をピックアップするタイプの振動ピックアップマイクロホンに関するものである。
【背景技術】
【０００２】
外部騒音を感知しにくく、話者の音声だけをピックアップするマイクロホンとして、骨伝導マイクロホンやスロートマイクがある。この内、骨振動をピックアップする骨伝導マイクロホンの代表的なものとして、図４に示すような、圧電素子を用い、これを支持部で支持させる加速度ピックアップ型のマイクロホンがある。【０００３】
このタイプのマイクロホンの欠点として、機械的振動に弱いこと、つまり、ハウジングやケーブルに触った時に、その振動、摺動音が大きくピックアップされてしまう点が指摘される。また、このタイプのものは、素子を収納しているハウジング自体が外部音に対してのセンサーとして作用するため、１１０ｄＢ  ＳＰＬを超えるような高騒音下では、外部音とのＳ／Ｎが確保できなくなってしまうという欠点もある。【０００４】
更に、ダイナミックタイプのマイクロホンもあるが（図５参照）、それは振動に対しては有利であるものの、構造的に大きくなってしまうという欠点がある。なお、ダイナミックタイプは、その構造から感度を高く取ることができないので、主に、声帯振動をピックアップするスロートマイクに用いられている。【０００５】
【特許文献１】特開２００６−２０２４７号公報
【特許文献２】特開２００４−２２９１４７号公報
【特許文献３】特開２００１−２９２４８９号公報
【特許文献４】特開２０００−２０１８７５号公報
【発明の開示】
【発明が解決しようとする課題】
【０００６】
本発明は、上述したような、話者の音声だけをピックアップすることを企図した従来のマイクロホンにおける欠点に鑑みてなされたもので、高騒音下での通話用、音声認識入力用のマイクロホンとして、外部騒音や振動を感知しにくい、小型で高感度の振動ピックアップマイクロホンを提供することを課題とするものである。
【課題を解決するための手段】
【０００７】
上記課題を解決するための請求項１に記載の発明は、マイクロホンユニットを収納する上面を開口したケースと、前記ケースの上端面を含む外表面全体を被覆する弾性材製カバーと、前記ケース内に設置されて前記マイクロホンユニットを浮上状態に保持する弾性材製マイクホルダーと、前記マイクホルダーによって保持される前記マイクロホンユニットと、前記マイクホルダーを覆うように前記ケース内に装填されるサブ振動板とから成り、前記サブ振動板と前記マイクロホンユニットとの間に気室が形成され、また、前記サブ振動板の上面は、前記ケースの上端面と同じとされるかそこから少しはみ出るようにされることを特徴とする。【０００８】
前記ケースは、外側ケースと、弾性材製スペーサを介して前記外側ケース内に収装される内側ケースとの二重構造とすることができる。【０００９】
好ましくは、前記マイクホルダーは、上面に前記サブ振動板内に嵌入して前記サブ振動板を支持する支持枠を備え、前記サブ振動板は、下端に、前記ケース内側面に当接するフランジを備え、また、前記サブ振動板は、その上面が球面状である。
【発明の効果】
【００１０】
本発明は上記のとおりであって、マイクロホンユニットは、使用時においてケースとカバーで構成されるハウジング内に密閉状態となるので、外部騒音の影響を受けにくく、以て、高騒音下での通話用、音声認識入力用のマイクロホンとして、外部騒音や振動を感知しにくい、小型で高感度の振動ピックアップマイクロホンが得られる効果がある。
【発明を実施するための最良の形態】
【００１１】
本発明を実施するための好ましい形態を、添付図面に依拠して説明する。本発明に係る振動ピックアップマイクロホンは、マイクロホンユニット１を収納するケース２と、ケースを被覆するカバー３と、ケース２内においてマイクロホンユニット１を支持するマイクホルダー４と、マイクホルダー４を覆うようにしてケース２内に装填されるサブ振動板５とから成る。【００１２】
ケース２は上面を開口した容体で、通例、黄銅、ステンレス、鉄等の高比重材料製であり、その側壁下部に、マイクロホンユニット１から出るリード線６を引出すための孔７が形成される。【００１３】
カバー３は、シリコンラバー等の弾性材製で、ケース２の上端面を含む外表面全体を被覆する。カバー３の上端は、ケース２の上端面に被さるように内方に延長されることにより、環状の皮膚当接部８が形成される。カバー３にも、ケース２の孔７に対応する位置に孔９が形成され、そこからリード線６が引き出される。【００１４】
マイクホルダー４は、やはりシリコンラバー等の弾性材製で、ケース２内に密に嵌装される。マイクホルダー４は、ケース２の内側面に密着する周脚１０を有し、上面中央部には、マイクロホンユニット１を保持するための保持開口１１が形成される。またその上面には、サブ振動板５内に嵌入されることによってサブ振動板５を支持する支持枠１２が形成される。【００１５】
サブ振動板５は、例えば上面が球面状であって、下端にフランジ１３を備えたものである。このフランジ１３は、ケース２の内側面に当たることにより、サブ振動板５の外側面をケース２の内側面から離隔させる役目を果たす。サブ振動板５は、マイクホルダー４の支持枠１２に嵌め付けることによりケース２内に確固と装填され、その内側に気室１４が確保される。サブ振動板５の上面は、カバー３の皮膚当接部８と同じ高さとなるか、それよりも少しはみ出るように設計される。【００１６】
上記構成のマイクロホンを使用するに当っては、図２に示すようにサブ振動板５を、頬等の皮膚に当接させる。サブ振動板５の上面は、ケース２の上端面と同じかそれよりも膨出しているので、サブ振動板５の上面は、皮膚に密着することになる。なお、同時に皮膚当接部８も皮膚に密着するが、皮膚当接部８は、サブ振動板５の密着を阻害する程厚くはなく、また、皮膚に弾力性があるため、サブ振動板５は十分に皮膚に密着する。【００１７】
かくして装着者が音声を発すると、その音声振動（骨振動）がサブ振動板５によってピックアップされ、サブ振動板５が振動する。このサブ振動板５の振動によって気室１４内の空気が振動し、音波となってマイクロホンユニット１の振動板に到達する。その際、気室１４は外部から完全に離隔されているため、外部騒音がマイクロホンユニット１に達することはない。また、マイクロホンユニット１は、それ自体が機械的振動をピックアップしにくいという基本構造を有しているため、本発明に係る振動ピックアップマイクロホンは、非常に振動と外部騒音に強いものとなる。【００１８】
更に、ハウジング部は、ケース２とカバー３とで構成されていて、ケース２は、音圧（空気振動）に対する感度を下げる目的で、黄銅、ステンレス、鉄等の高比重材料にて形成される。その一方、カバー３には弾性材を用いることで、皮膚とこれに接触する皮膚当接部８との間の気密性を確保することができ、以て、外部音の侵入を防止することができる。そして、更に、マイクホルダー４を弾性材製とすることで、不要な振動をより感知しにくい構成とすることができる。【００１９】
図３に示す実施形態は、ケース２を外側ケース１５と内側ケース１６とから成る二重構造としたもので、その点以外の構成は上記実施形態と同じである。この場合内側ケース１６は、弾性材製のスペーサ１７を介して外側ケース１５内に収装され、内外ケース１５、１６間には緩衝空間１８が保持される。【００２０】
この実施形態の場合は、緩衝空間１８が存在するために、外部音のマイクロホンユニット１への伝達がより一層確実に阻止される。そのため、この構成の場合は、１２０ｄＢ  ＳＰＬ以上の騒音下でも、十分に使用可能である。【００２１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２２】
【図１】本発明の一実施形態の縦断面図である。
【図２】本発明の一実施形態の使用状態図である。
【図３】本発明の他の実施形態の縦断面図である。
【図４】従来の骨伝導マイクロホンの構成例を示す縦断面図である。
【図５】従来のダイナミックタイプのマイクロホンの縦断面図である。
【図１】
2008029514.tif 000003
【図２】
2008029514.tif 000004
【図３】
2008029514.tif 000005
【図４】
2008029514.tif 000006
【図５】
2008029514.tif 000007
【国際調査報告】
2008029514.tif 000008
2008029514.tif 000009
2008029514.tif 000010
2008029514.tif 000011